【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
前記遊技機に設けられた電気部品を制御する電子部品及び配線が接続されるコネクタが搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記基板ケースは、前記回路基板の一辺が前記可動ベース部の回動軸心に沿って配置されるように該可動ベース部に取り付けられ、
前記回路基板における前記一辺と該一辺の反対側の他辺との中間位置との間の領域に少なくとも一のコネクタが設けられている
ことを特徴とする遊技機。
【手続補正２】
【補正対象書類名】明細書
【補正対象項目名】０００７
【補正方法】変更
【補正の内容】
【０００７】
上記課題を解決するために、本発明の請求項１に記載の遊技機は、
所定の遊技を行うことが可能な遊技機であって、
前記遊技機に設けられた電気部品を制御する電子部品及び配線が接続されるコネクタが搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記基板ケースは、前記回路基板の一辺が前記可動ベース部の回動軸心に沿って配置されるように該可動ベース部に取り付けられ、
前記回路基板における前記一辺と該一辺の反対側の他辺との中間位置との間の領域に少なくとも一のコネクタが設けられている
ことを特徴としている。
本発明の手段１の遊技機は、
所定の遊技を行うことが可能な遊技機（スロットマシン１）であって、
前記遊技機に設けられた電気部品（１枚ＢＥＴスイッチ５、ＭＡＸＢＥＴスイッチ６、スタートスイッチ７、ストップスイッチ８Ｌ、８Ｃ、８Ｒ、投入メダルセンサ３１、リールモータ３２Ｌ、３２Ｃ、３２Ｒ、リールセンサ３３Ｌ、３３Ｃ、３３Ｒ、ホッパーモータ３４ｂ、払出センサ３４ｃ等）を制御する電子部品（メインＣＰＵ４１ａ等）が搭載された回路基板（遊技制御基板４０）と、
前記回路基板を収容するとともに、該回路基板の一面（実装面４０ａ）側を視認可能とする第１の透視部（透明な合成樹脂材にて形成された上部ケース２０２の全域）及び該回路基板の他面（４０ｂ）側を視認可能とする第２の透視部（透明な合成樹脂材にて形成された下部ケース２０１の全域）が設けられた基板ケース（２００）と、
前記遊技機に取り付けられる固定ベース部（固定ベース３０１）と、
前記基板ケースが取り付けられ、前記固定ベース部に対して、前記回路基板の一面側を前記第１の透視部を通して視認可能となる第１の位置（第１の回動規制位置Ａ）と前記回路基板の他面側を前記第２の透視部を通して視認可能となる第２の位置（第２の回動規制位置Ｂ）との間で回動可能に支持される（図２２参照）可動ベース部（可動ベース３０２）と、
前記遊技機（スロットマシン１）に前記固定ベース部（固定ベース３０１）を取り付けるための取付部材（ベース取付ネジ３３５）と、
前記基板ケース（２００）または前記可動ベース部（可動ベース３０２）に設けられ、前記第１の位置と前記第２の位置との間の回動範囲（第１の回動規制位置Ａと第２の回動規制位置Ｂとの間）内において前記取付部材の取り外し操作を阻止する位置に配置される取外操作阻止部（被覆部３２２）と、
を備え、
前記遊技機は、少なくとも前記固定ベース部と前記可動ベース部と前記基板ケースとを一体に組み付けた組付状態において、前記固定ベース部と前記可動ベース部及び前記可動ベース部と前記基板ケース双方の組付状態の解除がそれぞれ不能化され（図１９参照）、
前記固定ベース部は、前記第１の位置と前記第２の位置との回動範囲においても前記取外操作阻止部により前記遊技機から前記取付部材を取り外すことが阻止されることによって、少なくとも前記組付状態において前記遊技機からの取り外しが不能化されている（図２１参照）
ことを特徴としている。
この特徴によれば、基板ケースを遊技機に取り付けた状態でも、固定ベース部に対して可動ベース部を回動させることで回路基板の一面側及び他面側を視認することができるため、回路基板に不正な改造が施されているか否かの確認作業を簡単に行うことができる。また、組付状態においては、固定ベース部から可動ベース部を取り外したり、可動ベース部から基板ケースを取り外したりすることだけでなく、遊技機から固定ベース部を取り外すことができなくなることで、遊技機から固定ベース部及び可動ベース部ごと基板ケースを取り外し、不正な回路基板を収容した基板ケースに掏りかえるといった不正行為が行われた可能性があることを発見することができる。
また、基板ケースが回動範囲内に位置している状態では、常に取外操作阻止部により取付部材の取り外し操作が阻止されるため、特殊な取付部材を用いることなく、遊技機から固定ベース部を取り外し不能とすることができるばかりか、取外操作阻止部は固定ベース部に一体に組み付けられる可動ベース部または基板ケースに設けられることで、組付状態において簡単に取り外されることがない。
尚、前記固定ベース部は、遊技機の本体に取り付けられてもよいし、本体に設けられた付属部材等に取り付けられてもよい。
尚、前記取付部材は、前記固定ベース部と前記可動ベース部との回動軸心に沿って配置されることが好ましく、このようにすることで、基板ケースが回動しても、取付部材に対する基板ケースや可動ベース部の相対位置関係が大きく変わることがなく、取外操作阻止部による取外操作阻止状態が一定に維持される。
また、前記第１の透視部及び前記第２の透視部は、前記基板ケース内に収容された回路基板の一面側及び他面側を視認可能に設けられていれば、基板ケースの一部の領域に設けられていてもよいし、基板ケースの全域に設けられていてもよい。
また、前記固定ベース部は、該固定ベース部に設けられた取付部により遊技機に取り付けられてもよいし、固定ベース部とは別個に形成された取付部材により遊技機に取り付けられてもよい。また、前記取付部や前記取付部材は、遊技機から固定ベース部を取り外した際に該取り外した痕跡が残るように取り付け可能であることが好ましい。あるいは、前記取付部や前記取付部材は、遊技機に対して取り付け、取り外し可能に構成されていてもよく、この場合、少なくとも組み付けられた可動ベース部や基板ケース等により遊技機からの取り外しが不能化されればよい。
【手続補正３】
【補正対象書類名】明細書
【補正対象項目名】０００８
【補正方法】変更
【補正の内容】
【０００８】
本発明の手段２の遊技機は、手段１に記載の遊技機であって、
前記遊技機（スロットマシン１）に前記固定ベース部（固定ベース３０１）を取り付けるための取付部材（ベース取付ネジ３３５）と、
前記基板ケース（２００）または前記可動ベース部（可動ベース３０２）に設けられ、前記第１の位置と前記第２の位置との間の回動範囲（第１の回動規制位置Ａと第２の回動規制位置Ｂとの間）内において前記取付部材の取り外し操作を阻止可能な位置に配置される取外操作阻止部（被覆部３２２）と、
を備える
ことを特徴としている。
この特徴によれば、基板ケースが回動範囲内に位置している状態では、常に取外操作阻止部により取付部材の取り外し操作が阻止されるため、特殊な取付部材を用いることなく、遊技機から固定ベース部を取り外し不能とすることができるばかりか、取外操作阻止部は固定ベース部に一体に組み付けられる可動ベース部または基板ケースに設けられることで、組付状態において簡単に取り外されることがない。
尚、前記取付部材は、前記固定ベース部と前記可動ベース部との回動軸心に沿って配置されることが好ましく、このようにすることで、基板ケースが回動しても、取付部材に対する基板ケースや可動ベース部の相対位置関係が大きく変わることがなく、取外操作阻止部による取外操作阻止状態が一定に維持される。
【手続補正４】
【補正対象書類名】明細書
【補正対象項目名】０００９
【補正方法】変更
【補正の内容】
【０００９】
本発明の手段３の遊技機は、手段１または２に記載の遊技機であって、
前記遊技機（スロットマシン１）に前記固定ベース部（固定ベース３０１）を取り付けるための取付部材（ベース取付ネジ３３５）と、
前記固定ベース部を前記遊技機に取り付けた前記取付部材における露呈部位（ベース取付ネジ３３５の頭部３３５ｂ）の少なくとも一部（全体）を被覆する被覆部材（カバー部材３３６、カバーキャップ３３７）と、
を備える
ことを特徴としている。
この特徴によれば、取付部材の露呈部位が被覆部材により保護されるので、取付部材に対する不正行為を防止することができる。
【手続補正５】
【補正対象書類名】明細書
【補正対象項目名】００１０
【補正方法】変更
【補正の内容】
【００１０】
本発明の手段４の遊技機は、手段１〜３のいずれかに記載の遊技機であって、
前記電気部品（１枚ＢＥＴスイッチ５、ＭＡＸＢＥＴスイッチ６、スタートスイッチ７、ストップスイッチ８Ｌ、８Ｃ、８Ｒ、投入メダルセンサ３１、リールモータ３２Ｌ、３２Ｃ、３２Ｒ、リールセンサ３３Ｌ、３３Ｃ、３３Ｒ、ホッパーモータ３４ｂ、払出センサ３４ｃ等）と前記回路基板（遊技制御基板４０）との間に設けられ、前記電気部品と前記回路基板とを電気的に接続するための配線（ケーブル６００ａ〜６００ｃ等）と、
前記回路基板に設けられ、前記配線が着脱自在に接続される接続部（基板側コネクタ６２０ａ〜６２０ｃ）と、
を備え、
前記基板ケース（２００）は、前記回路基板が一辺（左側短辺）を中心に回動するように前記可動ベース部（可動ベース３０２）に取り付けられ、
前記接続部は、前記回路基板における前記一辺と、該一辺の反対側の他辺（右側短辺）との中間位置と、の間の領域（左側領域）に配設されている
ことを特徴としている。
この特徴によれば、基板ケースを回動した場合における接続部の回動半径が小さくなるため、配線を接続部から取り外さずに基板ケースを回動可能とする場合に、配線を極力短くすることができる。